(57)【特許請求の範囲】
【請求項１】
受信信号を入力とし、伝送路推定用シンボル検出信号、シンボル同期信号、及び同期処理後の受信信号を出力する伝送路受信手段と、
前記伝送路推定用シンボル検出信号、前記シンボル同期信号及び、伝送路推定値算出完了信号から再符号化フラグの有無を決定し、第１の再符号化フラグを出力する再符号化フラグ付加手段と、
前記伝送路受信手段から出力された前記同期処理後の受信信号を前記シンボル同期信号に同期してＦＦＴ変換し、ＦＦＴ変換後の情報シンボルと第１のイネーブル信号とを出力するＦＦＴ手段と、
前記ＦＦＴ変換後の情報シンボル、前記第１のイネーブル信号、前記第１の再符号化フラグ、及び前記伝送路推定用シンボル検出信号が入力され、前記伝送路推定用シンボル検出信号が出力される前記ＦＦＴ変換後の情報シンボルを用いて、または、前記再符号化フラグ手段が前記第１再符号化フラグを出力する時の前記ＦＦＴ変換後の情報シンボルを用いて伝送路推定値を算出し、前記伝送路推定値算出完了信号を出力し、伝送路補償を行う適応的復号手段とを備えたことを特徴とするＯＦＤＭ通信装置。
【請求項２】
前記適応的復号手段は、伝送路推定補償手段、誤り訂正手段、及び再符号化手段とからなり、
前記伝送路推定補償手段は、前記ＦＦＴ変換後の情報シンボル、前記第１のイネーブル信号、前記再符号化手段から出力される第２の再符号化フラグ、及び前記伝送路推定用シンボル検出信号が入力され、前記伝送路推定用シンボル及び、前記第２の再符号化フラグを付加された再符号化された情報シンボルを用いて伝送路推定値を算出し、前記伝送路推定値を用いて情報シンボルの伝送路歪を補償し、伝送路補償後の情報シンボル、前記伝送路補償後の情報シンボルの第２のイネーブル信号、及び第３の再符号化フラグを出力して、
前記誤り訂正手段は、前記伝送路補償後の情報シンボル、前記第２のイネーブル信号、及び前記第３の再符号化フラグを入力とし、前記伝送路補償後の情報シンボルに対して誤り訂正処理し、誤り訂正後の情報シンボル、前記誤り訂正後の情報シンボルの第３のイネーブル信号、及び第４の再符号化フラグを出力して、
前記再符号化手段は、前記誤り訂正後の情報シンボル、前記第３のイネーブル信号、及び前記第４の再符号化フラグを入力とし、前記誤り訂正後の情報シンボルに対して再符号化フラグを付加された前記誤り訂正後の情報シンボルのみ再符号化処理し、再符号化後の情報シンボル、及び前記第２の再符号化フラグを出力するよう構成されたことを特徴とする請求項１記載のＯＦＤＭ通信装置。
【請求項３】
前記誤り訂正手段は、伝送路歪が補償された受信情報を保持するためのメモリ容量を外部より入力される伝送路品質情報により制御することを特徴とする請求項２記載のＯＦＤＭ通信装置。
【請求項４】
前記誤り訂正手段は、伝送路歪が補償された受信情報を保持するためのメモリ容量を受信信号より検出される伝送路品質情報により制御することを特徴とする請求項２記載のＯＦＤＭ通信装置。
【請求項５】
前記誤り訂正手段は、伝送路歪が補償された受信情報を保持するためのメモリ容量を外部から入力される変調方式情報により制御することを特徴とする請求項２記載のＯＦＤＭ通信装置。
【請求項６】
前記誤り訂正手段は、伝送路歪が補償された受信情報を保持するためのメモリ容量を受信信号から検出された変調方式情報により制御することを特徴とする請求項２記載のＯＦＤＭ通信装置。
【発明の詳細な説明】
【０００１】
【発明の属する技術分野】
本発明は、ディジタル無線通信システムにおけるＯＦＤＭ通信装置に関する。
【０００２】
【従来の技術】
近年、移動体向けディジタル音声放送や、地上ディジタルテレビ放送等において、直交周波数多重（Orthogonal  Frequency  Division  Multiplexing  以下、ＯＦＤＭと称す）信号を用いた通信が注目されている。なぜならＯＦＤＭ信号は、周波数の利用効率が良く、多量のデータの高速伝送が可能で、反射波による特性劣化が少ないからである。また、その信号波形がランダム雑音に近い形となるので、他のサービスに混信妨害を与えにくいという特徴を持っているからである。
【０００３】
従来のＯＦＤＭ通信装置では、受信信号をＦＦＴ手段で時間軸−周波数軸変換し、受信信号に含まれる伝送路推定用シンボルと既知信号との間で演算処理を行うことにより伝送路推定値を得る。そして、伝送路推定値と、情報シンボルとを演算処理することにより、伝送路歪を補償する。この伝送路歪が補償された受信信号を誤り訂正手段で、復調、誤り訂正して受信データである情報ビット列を得る。
【０００４】
また、長い情報を送信する場合では、図３に示すように、情報シンボル中にある一定間隔で伝送路推定用シンボル（斜線部）を挿入して、時々刻々変動する伝送路応答の変化に追従させると、伝送効率が落ちるため、図４に示すように、受信した情報シンボルの判定値を既知信号として用いて、伝送路応答を適応的に推定する伝送路推定方法が採用されている。これにより、長い情報を送信する場合でも、伝送路応答の時間変動が大きい場合でも、伝送効率を低下させずに、伝送路の時間変動に適応的に追従させていた（特願平１１−２４５０９８号）。
【０００５】
図３におけるプリアンブルは同期処理におけるシンボル同期信号を検出するためのシンボルである。
【０００６】
以下に、図８を参照してこのような従来のＯＦＤＭ通信装置について説明する。
【０００７】
受信側では、以下のように受信信号を受信処理する。
【０００８】
伝送路受信手段１は、ベースバンド処理手段１１と、同期手段１２から構成されている。適応的復号手段３は、伝送路推定補償手段３１と、誤り訂正手段３２と、再符号化手段３３から構成されている。
【０００９】
アンテナを介して受信されたＯＦＤＭ信号は、ベースバンド処理手段１１で通常の無線受信処理がなされベースバンド信号になる。このベースバンド信号はローパス・フィルタで不要周波数成分が除去され、Ａ／Ｄ変換される。Ａ／Ｄ変換された受信信号は、同期手段１２でＯＦＤＭ受信信号に含まれる伝送路推定用シンボルから伝送路推定値用シンボル検出信号と、シンボル同期を検出し、搬送波周波数ずれを補償する。前記搬送波周波数ずれを補償された同期処理後の受信信号は、ＦＦＴ（Fast Fourier Transform）手段２でシンボル同期に同期して時間軸−周波数軸変換されて、各サブキャリアに割り当てられた情報シンボルが得られる。ＦＦＴ手段２でＦＦＴ演算された情報シンボルは、イネーブル信号と共に伝送路推定補償手段３１へ送られ、前記伝送路推定用シンボル検出信号が検出された場合、既知信号と、伝送路推定用シンボルとを演算処理することによって最初の伝送路推定値を求める。伝送路推定補償手段３１は、最初の伝送路推定値を用いて情報シンボルの伝送路歪補償をＯＦＤＭシンボル毎に逐次行う。
【００１０】
伝送路補償された情報シンボルは、イネーブル信号と共に逐次誤り訂正手段３２に送られ誤り訂正される。誤り訂正手段３２からは、誤り訂正された情報シンボルがイネーブル信号と共に出力される。再符号化手段３３では、誤り訂正された情報シンボルに対し符号化処理、変調処理、及び再配列処理が行われる。このように再符号化された誤り訂正後の情報シンボルは、イネーブル信号と共に伝送路推定補償手段３１に送られる。伝送路推定補償手段３１では、この再符号化された情報シンボルを既知信号として用い、前記再符号化された情報シンボルに対応したＦＦＴ演算された信号と演算処理することにより伝送路推定を行い、伝送路推定値を求める。この伝送路推定値は、最初の伝送路推定値の代わりに新しい伝送路推定値として使用される。
【００１１】
このとき、ＯＦＤＭ信号はマルチキャリア方式であり、シングルキャリア方式に比べマルチキャリア方式で上記に示す伝送路推定値の情報シンボルを用いた更新を毎シンボルごとに実現するためには、ＦＦＴ演算された周波数軸上の情報シンボルを保持しておくためのメモリが膨大になる。上記ＦＦＴ演算された周波数軸上の情報シンボルを保持しておくためのメモリを最小限にするためには、図９に示すように情報シンボルごとに伝送路推定値の適応更新を行うのではなく、ある一定の間隔をおいて伝送路推定値の適応更新を行う必要がある。
【００１２】
ＦＦＴ手段２から出力される情報シンボルをいくらの間隔で伝送路推定値を算出するための既知信号である再符号化情報シンボルの対象にするかについては、変調方式によって決まるそれぞれ各処理手段の最大処理遅延分で決定していた。
【００１３】
上記について図１０を参照して説明する。
【００１４】
情報シンボルを構成しているビット数を以下のように仮定する。
【００１５】
・ＢＰＳＫ＝２４ビット
・ＱＰＳＫ＝４８ビット
・１６ＱＡＭ＝９６ビット
また、誤り訂正手段３２のビタビのパスメモリ長を以下のように仮定する。
【００１６】
・ビタビパスメモリ長＝９６段
上記のように仮定すると、ＦＦＴ手段２から出力された情報シンボルが伝送路推定補償手段３１、誤り訂正手段３２、再符号化手段３３、伝送路推定補償手段３１を通って伝送路推定値が算出されるまでに変調方式がＢＰＳＫだと５シンボル、ＱＰＳＫだと３シンボル、１６ＱＡＭだと２シンボルかかることになる。なお、誤り訂正手段３２以外は処理遅延０と仮定する。
【００１７】
ＦＦＴ手段２から出力される情報シンボルをいくらの間隔で既知信号とするための再符号化情報シンボルの対象にするかについては、最大処理遅延がＢＰＳＫの５シンボルであるため、既知信号とする再符号化情報シンボルの対象は５シンボル間隔としていた。
【００１８】
上記処理は、図９に示すように、ＦＦＴシンボルカウント手段５では同期手段１２から出力されるシンボル同期信号に同期してカウントされ、ＦＦＴ手段２から出力される情報シンボルに対してカウント値が１の時の情報シンボルを既知信号である再符号化情報シンボルの対象にする。ＦＦＴシンボルカウンタ手段５から出力されるＦＦＴ出力対象シンボル検出信号によって、伝送路推定補償手段３１では、前記カウント値が１の時のＦＦＴ手段２から出力される情報シンボルを保持する。再符号化シンボルカウント手段６では再符号化手段３３から出力されるイネーブル信号に同期してカウントされ、前記イネーブル信号に同期して再符号化手段３３から出力される再符号化情報シンボルに対してカウント値が１の時の再符号化情報シンボルを伝送路推定値として算出するための対象シンボルにする。再符号化シンボルカウント手段６から出力される再符号化対象シンボル検出信号によって伝送路推定補償手段３１では、ＦＦＴ出力対象シンボル検出信号によって保持された情報シンボルと、再符号化対象シンボル検出信号によって検出された再符号化情報シンボルによって、伝送路推定補償手段３１において伝送路推定値を算出していた。ＦＦＴシンボルカウント手段５と、再符号化シンボルカウント手段６のカウンタは同期手段１２から出力される伝送路推定用シンボル検出信号によってリセットされる。
【００１９】
なお、上記の伝送路推定値の更新間隔が短いほど、伝送路応答の時間変動に強くなる。
【００２０】
【発明が解決しようとする課題】
上記従来のＯＦＤＭ通信装置においては、受信した情報シンボルの再符号化情報シンボルを既知信号として用いて、伝送路応答を適応的に推定する伝送路推定方法が採用されている。これにより、長い情報を送信する場合でも、伝送路応答の時間変動が大きい場合でも、伝送効率を低下させずに、伝送路の時間変動に適応的に追従させていた。
【００２１】
しかし近年、情報シンボルの変調方式は、連続した情報シンボルにおいて変調方式を複雑に変化させるような規格が注目を集めている。ＦＦＴ演算された情報シンボルをいくらの間隔で伝送路推定値を算出するための既知信号とする再符号化情報シンボルの対象にするかについて、変調方式によって決まるそれぞれ各処理手段の最大処理遅延分で固定にしているため、各処理手段の処理遅延があまりかからない変調方式であっても必要以上に伝送路推定の情報シンボル間隔がかかってしまうという問題点があった。
【００２２】
本発明はかかる点に鑑みてなされたものであり、複数の変調方式からなる複数の情報シンボルから構成されるＯＦＤＭ信号であっても、伝送路の時間変動に適応的に追従して特に多値変調方式において受信特性を向上させることができるＯＦＤＭ通信装置を提供することを目的としている。
【００２３】
【課題を解決するための手段】
上記のような目的を達成するために、第１の発明は、受信信号を入力とし、伝送路推定用シンボル検出信号、シンボル同期信号、及び同期処理後の受信信号を出力する伝送路受信手段と、  前記伝送路推定用シンボル検出信号、前記シンボル同期信号及び、伝送路推定値算出完了信号から再符号化フラグの有無を決定し、第１の再符号化フラグを出力する再符号化フラグ付加手段と、  前記伝送路受信手段から出力された前記同期処理後の受信信号を前記シンボル同期信号に同期してＦＦＴ変換し、ＦＦＴ変換後の情報シンボルと第１のイネーブル信号とを出力するＦＦＴ手段と、  前記ＦＦＴ変換後の情報シンボル、前記第１のイネーブル信号、前記第１の再符号化フラグ、及び前記伝送路推定用シンボル検出信号が入力され、前記伝送路推定用シンボル検出信号が出力される前記ＦＦＴ変換後の情報シンボルを用いて、または、前記再符号化フラグ手段が前記第１再符号化フラグを出力する時の前記ＦＦＴ変換後の情報シンボルを用いて伝送路推定値を算出し、前記伝送路推定値算出完了信号を出力し、伝送路補償を行う適応的復号手段とを備えたことを特徴とする。
【００２４】
上記のような第１の発明によれば、前記再符号化フラグ付加手段では、前記適応的復号手段から出力される伝送路推定値算出完了信号の直後に入力される情報シンボルに順次再符号フラグを付加するため、連続した情報シンボル内でも変調方式が複雑に変化しても、変調方式による各処理手段の処理遅延の応じた可変した間隔で伝送路推定値の更新を行うことができ、特に多値変調方式の受信特性の向上を図れる。
【００２５】
また、第２の発明としては、前記適応的復号手段は、伝送路推定補償手段、誤り訂正手段、及び再符号化手段とからなり、前記伝送路推定補償手段は、前記ＦＦＴ変換後の情報シンボル、前記第１のイネーブル信号、前記再符号化手段から出力される第２の再符号化フラグ、及び前記伝送路推定用シンボル検出信号が入力され、前記伝送路推定用シンボル及び、前記第２の再符号化フラグを付加された再符号化された情報シンボルを用いて伝送路推定値を算出し、前記伝送路推定値を用いて情報シンボルの伝送路歪を補償し、伝送路補償後の情報シンボル、前記伝送路補償後の情報シンボルの第２のイネーブル信号、及び第３の再符号化フラグを出力して、前記誤り訂正手段は、前記伝送路補償後の情報シンボル、前記第２のイネーブル信号、及び前記第３の再符号化フラグを入力とし、前記伝送路補償後の情報シンボルに対して誤り訂正処理し、誤り訂正後の情報シンボル、前記誤り訂正後の情報シンボルの第３のイネーブル信号、及び第４の再符号化フラグを出力して、  前記再符号化手段は、前記誤り訂正後の情報シンボル、前記第３のイネーブル信号、及び前記第４の再符号化フラグを入力とし、前記誤り訂正後の情報シンボルに対して再符号化フラグを付加された前記誤り訂正後の情報シンボルのみ再符号化処理し、再符号化後の情報シンボル、及び前記第２の再符号化フラグを出力するよう構成されたことを特徴とする。
【００２６】
上記のような第２の発明によれば、再符号化フラグのついた信号のみについて再符号化処理を行うようにすることができるので、低消費電力な伝送路推定値の更新を行うことができる。
【００２７】
第３の発明は、第２の発明において、前記誤り訂正手段は、伝送路歪が補償された受信情報を保持するためのメモリ容量を外部から入力される伝送路品質情報により制御することを特徴とする。
【００２８】
上記のような第３の発明によれば、外部から入力される伝送路品質情報により誤り訂正に必要なメモリ容量を切り替える。したがって、伝送路品質が良い場合は、誤り訂正処理に必要なメモリ容量を最小になるように切り替えることによって処理遅延を最小限に抑えることができ、伝送路品質が悪い場合は、誤り訂正処理に必要なメモリ容量を最大にし、誤り訂正の処理能力を強化することができる。
【００２９】
第４の発明は、第２の発明において、前記誤り訂正手段は、伝送路歪が補償された受信情報を保持するためのメモリ容量を受信信号より検出される伝送路品質情報により制御することを特徴とする。
【００３０】
上記のような第４の発明によれば、受信信号により検出される伝送路品質情報により誤り訂正に必要なメモリ容量を切り替える。したがって、伝送路品質が良い場合は、誤り訂正処理に必要なメモリ容量を最小になるように切り替えることによって処理遅延を最小限に抑えることができ、伝送路品質が悪い場合は、誤り訂正処理に必要なメモリ容量を最大にし、誤り訂正の処理能力を強化することができる。
【００３１】
第５の発明は、第２の発明において、前記誤り訂正手段は、伝送路歪が補償された受信情報を保持するためのメモリ容量を外部から入力される変調方式情報により制御することを特徴とする。
【００３２】
上記のような第５の発明によれば、外部から入力される変調方式情報により誤り訂正に必要なメモリ容量を切り替える。したがって、変調方式が多値方式ではない場合は、誤り訂正処理に必要なメモリ容量を最小になるように切り替えることによって処理遅延を最小限に抑えることができ、変調方式が多値方式である場合は、誤り訂正処理に必要なメモリ容量を最大にし、誤り訂正の処理能力を強化することができる。
【００３３】
第６の発明は、第２の発明において、前記誤り訂正手段は、伝送路歪が補償された受信情報を保持するためのメモリ容量を受信信号に付加された変調方式情報により制御することを特徴とする。
【００３４】
上記のような第６の発明によれば、受信信号に付加された変調方式情報により誤り訂正に必要なメモリ容量を切り替える。したがって、変調方式が多値方式ではない場合は、誤り訂正処理に必要なメモリ容量を最小になるように切り替えることによって処理遅延を最小限に抑えることができ、変調方式が多値方式である場合は、誤り訂正処理に必要なメモリ容量を最大にし、誤り訂正の処理能力を強化することができる。
【００３５】
【発明の実施の形態】
（実施の形態１）
図１を参照して、本発明の第１実施形態に係るＯＦＤＭ通信装置について説明をする。
【００３６】
伝送路受信手段１は、ベースバンド処理手段１１と、同期手段１２から構成されている。適応的復号手段３は、伝送路推定補償手段３１と、誤り訂正手段３２と、再符号化手段３３から構成されている。
【００３７】
アンテナを介して受信されたＯＦＤＭ信号は、ベースバンド処理手段１１で通常の無線受信処理がなされベースバンド信号になる。このベースバンド信号はローパス・フィルタで不要周波数成分が除去され、Ａ／Ｄ変換される。
【００３８】
Ａ／Ｄ変換された受信信号は、同期手段１２でＯＦＤＭ受信信号に含まれる伝送路推定用シンボルから伝送路推定用シンボル検出信号と、シンボル同期を検出し、搬送波周波数ずれを補償する。前記搬送波周波数ずれを補償された同期処理後の受信信号はＦＦＴ（Fast Fourier Transform）手段２でシンボル同期に同期して時間軸−周波数軸変換されて、各サブキャリアに割り当てられた情報シンボルが得られる。
【００３９】
ＦＦＴ手段２でＦＦＴ演算された信号は、イネーブル信号と共に伝送路推定補償手段３１に送られ、前記伝送路推定用シンボル検出信号が検出された場合、既知信号と、伝送路推定用シンボルとを演算処理することによって最初の伝送路推定値を求める。伝送路推定補償手段３１は、最初の伝送路推定値を用いて情報シンボルの伝送路歪補償を情報シンボル毎に逐次行う。
【００４０】
伝送路補償された情報シンボルは、イネーブル信号と共に逐次誤り訂正手段３２に送られ誤り訂正される。誤り訂正手段３２からは、符号化される単位毎に誤り訂正された情報シンボルはイネーブル信号と共に出力される。このとき、図１に示すように、再符号化フラグ付加手段４では、前記伝送路推定用シンボル検出信号が検出される伝送路推定用シンボルの直後の情報シンボルに対しシンボル同期に同期して再符号化フラグを付加する。前記伝送路推定補償手段３１、前記誤り訂正手段３２は情報シンボルに再符号化フラグが付加されていれば情報シンボルと、イネーブル信号と共に再符号化フラグを出力する。誤り訂正後の情報シンボルは、イネーブル信号と再符号化フラグと共に再符号化手段３３に送られる。再符号化手段３３では、再符号化フラグが付加されている誤り訂正された情報シンボルのみに対し符号化処理、変調処理、及び再配列処理が行われる。前記再符号化手段３３から出力される既知信号として使用される再符号化情報シンボルは伝送路推定補償手段３１に送られる。伝送路推定補償手段３１では、この再符号化情報シンボルを既知信号として用い、前記再符号化情報シンボルに対応したＦＦＴ演算された情報シンボルと演算処理することにより伝送路推定を行い、伝送路推定値を求める。この伝送路推定値は、最初の伝送路推定値の代わりに新しい伝送路推定値として使用される。
【００４１】
このとき、前記伝送路推定補償手段３１は、最初の伝送路推定値に対して新しい伝送路推定値としての更新が完了したことを通知する伝送路推定値算出完了信号を出力し、前記再符号化フラグ付加手段４は、前記伝送路推定値算出完了信号が出力された直後のＦＦＴ手段２から出力される情報シンボルに対して再符号化フラグを付加していく。上記手順を伝送路推定用シンボル検出信号が検出されるまで繰り返す。伝送路推定用シンボル検出信号が検出された場合、既知信号と、検出された伝送路推定用シンボルとを演算処理することによって伝送路推定値を求め、伝送路補償を行う。
【００４２】
上記について図６を参照して具体的に説明する。
【００４３】
ＯＦＤＭシンボルを構成しているビット数を以下のように仮定する。
【００４４】
・ＢＰＳＫ＝２４ビット
・ＱＰＳＫ＝４８ビット
・１６ＱＡＭ＝９６ビット
また、誤り訂正手段３２のビタビのパスメモリ長を以下のように仮定する。
【００４５】
・ビタビパスメモリ長＝９６段
上記のように仮定すると、ＦＦＴ手段２から出力された情報シンボルが伝送路推定補償手段３１、誤り訂正手段３２、再符号化手段３３、伝送路推定補償手段３１を通って伝送路推定値が算出されるまでに変調方式がＢＰＳＫだと５シンボル、ＱＰＳＫだと３シンボル、１６ＱＡＭだと２シンボルかかることになる。なお、誤り訂正手段３２以外は処理遅延０と仮定する。
【００４６】
ＦＦＴ手段２から出力される情報シンボルをいくらの間隔で既知信号とするための再符号化情報シンボルの対象になっているかについては、ＢＰＳＫの５シンボル、ＱＰＳＫが３シンボル、１６ＱＡＭが２シンボルになり、再符号化情報ビットの対象は変調方式によって変化させることができる。
【００４７】
図５に示すように多値変調方式になればなるほど、情報シンボル当たりに占める情報ビット数が多くなるので、伝送路推定値の算出の間隔が短くなり、伝送路応答の時間変動に強くなる。これにより特に伝送路歪に強くない多値変調方式になるほど受信性能の向上を図ることができる。
【００４８】
（実施の形態２）
図２を参照して、本発明の第２実施形態に係るＯＦＤＭ通信装置について説明をする。
【００４９】
ベースバンド処理手段１１、同期手段１２、ＦＦＴ手段２、伝送路推定補償手段３１、再符号化手段３３は、実施の形態１と同じ機能である。誤り訂正手段３２は、外部のメモリ切り替え信号によって、誤り訂正に使用する受信データを蓄えるメモリの容量を可変とする。
【００５０】
具体的には、メモリ切り替え信号により、誤り訂正手段３２が、ビタビエラー訂正であるとすると、ビタビのパスメモリ長を９６段から４８段に切り替える。
【００５１】
外部から入力されるメモリ切り替え信号を伝送路の状態を表す伝送路品質情報とすることができる。伝送路品質が良い場合は、誤り訂正処理に必要なメモリ容量を最小になるように切り替えることによって消費電力、及び処理遅延を最小限に抑えることができ、伝送路品質が悪い場合は、誤り訂正処理に必要なメモリ容量を最大にし、誤り訂正の処理能力を強化することができる。また、このように伝送路の状態によって同じ変調方式でも誤り訂正手段３２の処理遅延が変化するが、実施の形態１で説明した再符号化フラグ付加手段４によりメモリ容量切り替えによる遅延処理の変化に伝送路推定値の算出が適応的に追従することができる。
【００５２】
また、伝送路品質情報は内部で検出しても良い。例えば、同期手段１２のシンボル同期を検出する際の受信信号のピーク信号、及び伝送路推定補償手段３１のコンスターレーションのバラツキを定量化することによって伝送路品質情報しても良い。これによってメモリ切り替えを早くすることができる。
【００５３】
また、外部より入力されるメモリ切り替え信号を、変調方式を表す変調方式情報とすることができる。図７に示すように各変調方式の入力信号の伝送路歪に対する誤り率は、ＢＰＳＫが強く、６４ＱＡＭのような多値変調になればなるほど弱くなる。
【００５４】
よって、変調方式が多値方式ではない場合は、誤り訂正処理に必要なメモリ容量を最小になるように切り替えることによって消費電力、及び処理遅延を最小限に抑えることができ、変調方式が多値方式である場合は、誤り訂正処理に必要なメモリ容量を最大にし、誤り訂正の処理能力を強化することができる。
【００５５】
また、このように変調方式によって誤り訂正手段３２の処理遅延が変化するが、実施の形態１で説明した再符号化フラグ付加手段４によりメモリ容量切り替えによる遅延処理の変化に伝送路推定値の算出が適応的に追従することができる。
【００５６】
また、変調方式情報は、内部の受信データから検出してもよい。例えば、予め受信データのどのシンボルのどのビットがそれに当たるかが分かっていれば、そのデータを使用して誤り訂正手段３２のメモリの切り替えを行っても良い。これによりメモリの切り替えを早くすることができる。
【００５７】
【発明の効果】
以上述べてきたように受信信号を入力とし、伝送路推定用シンボル検出信号、シンボル同期信号、及び同期処理後の受信信号を出力する無線受信手段と、前記伝送路推定用シンボル検出信号、前記シンボル同期信号及び、伝送路推定値算出完了信号から再符号化フラグの有無を決定し、再符号化フラグを出力する再符号化フラグ付加手段と、前記同期処理後の受信信号を前記シンボル同期信号に同期してＦＦＴ変換し、ＦＦＴ変換後の情報シンボルとイネーブル信号とを出力するＦＦＴ手段と、前記ＦＦＴ変換後の情報シンボルと、前記イネーブル信号と、前記再符号化フラグと、前記伝送路推定用シンボル検出信号が入力され、前記伝送路推定用シンボル検出された情報シンボルを用いて、また、再符号化フラグが付加された情報シンボルを用いて伝送路推定値を算出し、前記伝送路推定値算出完了信号を出力し、伝送路補償を行う適応的復号手段とを備えたことを特徴とし、特に、前記再符号化フラグ付加手段で、前記適応的復調手段から出力される伝送路推定値算出完了信号の直後に入力される情報シンボルに順次再符号フラグを付加することにより、連続した情報シンボル内でも変調方式が複雑に変化しても、変調方式による各処理手段の処理遅延の応じた可変した間隔で伝送路推定値の更新を行うことができ、特に多値変調方式の受信特性の向上を図れる。
【図面の簡単な説明】
【図１】本発明にかかるＯＦＤＭ通信装置の実施の形態１を示すブロック図
【図２】本発明にかかるＯＦＤＭ通信装置の実施の形態２を示すブロック図
【図３】ＯＦＤＭシンボルの構成を示す図
【図４】誤り訂正出力を既知信号としての伝送路補償を示す図
【図５】本発明にかかる実施の形態１の誤り訂正出力を既知信号としての伝送路補償を示すタイミング図
【図６】本発明にかかる実施の形態１の変調方式による伝送路補償値算出間隔を示すタイミング図
【図７】伝送路歪における各変調方式のシンボル誤り率を示す図
【図８】本発明にかかるＯＦＤＭ通信装置の従来例を示すブロック図
【図９】本発明にかかる従来例の誤り訂正出力を既知信号としての伝送路補償を示すタイミング図
【図１０】本発明にかかる従来例の変調方式による伝送路補償値算出間隔を示すタイミング図
【符号の説明】
１  伝送路受信手段
２  ＦＦＴ手段
３  適応的復号手段
４  再符号化フラグ付加手段
５  ＦＦＴシンボルカウント手段
６  再符号化シンボルカウント手段
１１  ベースバンド処理手段
１２  同期手段
３１  伝送路推定補償手段
３２  誤り訂正手段
３３  再符号化手段
【図１】
0003843870.tif 000002
【図２】
0003843870.tif 000003
【図３】
0003843870.tif 000004
【図４】
0003843870.tif 000005
【図５】
0003843870.tif 000006
【図６】
0003843870.tif 000007
【図７】
0003843870.tif 000008
【図８】
0003843870.tif 000009
【図９】
0003843870.tif 000010
【図１０】
0003843870.tif 000011